(57)【要約】【課題】歯科用切削器具を使いやすくする。【解決手段】歯科用切削器具１０は、人の手によって把持される筒状の本体１０ａと、この本体の先端部１２ｂに設けられ切削対象を切削するバー１４と、を含む。筒状の本体１２ａの人の手によって把持される把持部の周囲を、多孔質弾性体からなる多孔質グリップ２２で覆うことで、握りやすくする。また、多孔質グリップ２２は、連続気孔を有するため、滅菌が容易である。【選択図】図１
2009160324.tif 000002
【特許請求の範囲】
【請求項１】
人の手によって把持される筒状の本体と、この本体の先端側に設けられ切削対象を切削する切削端を含む先端部と、を有する歯科用切削器具であって、
筒状の本体部の人の手によって把持される把持部の周囲を、連続気孔を有する高分子多孔質弾性体で覆うことを特徴とする歯科用切削器具。
【請求項２】
請求項１に記載の歯科用切削器具において、
前記多孔質弾性体は、シリコンゴムを材料とすることを特徴とする歯科用切削器具。
【請求項３】
請求項１または２記載の歯科用切削器具において、
前記切削端は、回転されることを特徴とする歯科用切削器具。
【発明の詳細な説明】
【技術分野】
【０００１】
本発明は、人の手によって把持される筒状の本体と、この本体の先端側に設けられ切削対象を切削する切削端を含む先端部と、を有する歯科用切削器具に関する。
【背景技術】
【０００２】
歯科用の切削器具には、各種のものがある。例えば、先端の切削工具をエアーやモータで高速回転させるハンドピースや、高周波電気メス、超音波メス、レーザメスその他、歯神経の除去や歯垢辞去のための切削器具などがあげられる。
【０００３】
これら切削器具は、手術者が本体の把持部を握り、先端の切削工具を対象部分に当てて使用する。従って、その位置決めが重要である。そこで、保持部には、比較的硬い材質のものが使われてきた。
【０００４】
【特許文献１】特開２００５−２１１０９４号公報
【特許文献２】特開２００１−２８２５号公報
【特許文献３】特表２００１−５０１１０２号公報
【発明の開示】
【発明が解決しようとする課題】
【０００５】
しかし、歯科医師等が切削器具を用い手術等を行う場合、手に疲労がたまり、腱鞘炎などになりやすいという問題があった。また、特に手術用具については、滅菌処理を行う必要がある。
【課題を解決するための手段】
【０００６】
本発明は、人の手によって把持される筒状の本体と、この本体の先端側に設けられ切削対象を切削する切削端を含む先端部と、を有する歯科用切削器具であって、筒状の本体部の人の手によって把持される把持部の周囲を、連続気孔を有する高分子多孔質弾性体で覆うことを特徴とする。
【０００７】
また、前記多孔質弾性体は、シリコンゴムを材料とすることが好適である。
【０００８】
また、前記切削端は、回転されることが好適である。
【発明の効果】
【０００９】
本発明によれば、連続気孔を有する多孔質弾性体により把持部の周囲を覆うので、ここに適切な弾性を与えることができ、器具を握りやすくできる。また、器具において生じた振動などを吸収することができる。さらに、連続気孔であるため、気孔内部に消毒液体や、蒸気などを流通することが可能であり、確実な滅菌処理を行うことができる。そこで、手術用具などのグリップとしても好適に利用できる。
【発明を実施するための最良の形態】
【００１０】
以下、本発明の実施形態について、図面に基づいて説明する。図１は、歯科用切削器具１０の全体構成を示している。この歯科用切削器具１０は、ハンドピース１２と、これに差し込まれて使用される切削用の切削端を含むバー（ダイヤモンドポイント）１４とから構成されている。ハンドピース１２は、くの字状に曲がって、後端に従って徐々に広がった全体として円筒状の本体１２ａと、この本体１２ａの先端にその周面の一部が接続された円筒状の先端部１２ｂとからなっている。また、ハンドピース１２の本体１２ａの後端には、エアパイプ１６の一端が接続されており、このエアパイプ１６から圧縮空気が供給される。本体１２ａ内にはエア通路１８が形成されており、そのエア通路１８の先端は、先端部１２ｂ内で、図における上方に向けて開口している。なお、エアパイプ１６をそのまま本体１２ａを通過させ先端部１２ｂ内まで延長してもよいし、エア通路１８をエアパイプ１６とは独立して形成してもよい。
【００１１】
エア通路１８の吐出口に対向する位置には、羽根車２０が配置されている。この羽根車２０は回転可能に先端部１２ｂ内に軸支されており、エア通路１８の吐出口より吐出されるエアにより高速回転される。なお、エアは、先端部１２ｂの図における上方に排出される。
【００１２】
そして、ハンドピースの先端部１２ｂに図における下方から差し込まれるバー１４は、この羽根車２０と機械的に接続され、羽根車２０の回転によってバー１４が回転する。従って、バー１４の先端を所望の位置に位置させ、バー１４の先端部によってその位置の歯を切削する。すなわち、歯科治療において、切削用のバー１４は、羽根車２０は、圧縮空気により、２０万ｒｐｍ〜３０万ｒｐｍの回転数で回転する。一方、バー１４は、その先端（切削端）の刃部の表面に、ダイヤモンドの砥粒がコーティングされており、硬い歯を削ることができる。
【００１３】
本実施形態においては、ハンドピース１２の本体１２ａの先端部１２ｂに近い位置（把持部）には、本体１２ａの周面を覆って、円筒状の多孔質グリップ２２が配置されている。この多孔質グリップ２２は、基本的に図２に示すような中空円筒状のもので、これを本体１２ａの把持部周囲を覆って装着している。
【００１４】
従って、医師が患者の歯の切削を行う場合には、医師がこの多孔質グリップ２２を手で握り、バー１４の先端を患者の歯に当接して歯の切削を行う。上述のように、バーは数十万ｒｐｍで回転して歯を削るものであり、その反動、振動はかなり大きなものとなる。医師は十分な力で、バーを所定値に位置決めして切削を行う必要があり、十分な把持力でハンドピース１２を握る必要がある。
【００１５】
本実施形態においては、ハンドピース１２の把持部に多孔質グリップ２２が設けられている。この多孔質グリップ２２は、連続気孔を有する高分子多孔質体で形成される。従って、このグリップは弾性を有し、衝撃吸収力が非常に大きい。従って、切削時における先端からの衝撃が手に伝わるのを防止でき、医師において腱鞘炎などを起こすことを効果的に防止できる。
【００１６】
また、ある程度の弾力があるため、人が握った場合に、本体に把持力が伝わる範囲を大きくして、全体として本体に対する把持力を大きくすることができる。そこで、作業中における位置決めを正確にすることができる。
【００１７】
また、多孔質グリップ２２は、連続気孔の高分子多孔質体で形成される。連続気孔の場合、気孔中を液体等が通過することができる。そこで、多孔質グリップ２２をその内部も含め全体として消毒することができる。
【００１８】
さらに、多孔質グリップ２２を連続気孔の高分子多孔質体をシリコンゴムで形成することが好適である。シリコンゴムは、高温でも安定であり、オートクレーブで、例えば２気圧、１２１°Ｃなどの条件による滅菌処理が行える。そこで、歯科手術などの場合にも、安全に利用することが可能となる。
【００１９】
ここで、多孔質グリップ２２の材料としては、株式会社朝日ラバーの商品名「サポラス」（登録商標）が好適である。例えば、次のような性状のものが多孔質グリップ２２の材料として特に適している。
【表１】
2009160324.tif 000003
【００２０】
ここで、多孔質グリップ２２は、本体１２ａの把持部を外側からきつく覆う形で形成される。本体１２ａを製造するときに、一体的に形成してもよいし、後からはめ込むようにしてもよい。
【００２１】
後から装着する場合には、多孔質グリップ２２を単独で滅菌できるため、より確実な滅菌処理を行うことができる。なお、多孔質グリップ２２のみを使い捨てにしてもよいし、何度も滅菌して繰り返し使用してもよい。
【００２２】
また、多孔質グリップ２２の材料となる連続気孔を有する高分子多孔質材料は、気孔形成材料と骨格材料を混合して形成したものから気孔形成材料を溶解除去することで形成できる。上記例では、シリコンゴムを骨格材料として、気孔形成材料を混合した状態で成形し、これを溶剤（例えば、温水）につけて、気孔形成材料を溶解除去する。これによって、骨格材料が残り、気孔形成材料が除去された部分が連続気孔となる。この連続気孔は、液体や蒸気などが流通でき、特にオートクレーブの蒸気による滅菌によって、連続気孔表面を含めて、多孔質グリップ２２の表面が確実に滅菌処理できる。なお、このような多孔質グリップ２２の製造方法については、（１）特開２００６−３４２２４８、（２）特開２００６−２５７２７５、（３）特開２００５−３１４５９４、（４）特開２００４−３４４８７１、（５）特開２００４−２７７６３３、（６）特開２００４−１６６８１０、（７）特開２００２−１９４１３１、（８）  特開２００１−００２８２５等に記載がある。また、連続気孔を有する高分子多孔質材料であれば、他の製造方法で製造してもよい。
【００２３】
上記実施形態においては、多孔質グリップ２２は、一定の径の肉厚のパイプ状としたが、人が握りやすいように、凹凸を形成してもよく、また軸方向に全体を縦断する切り目をいれ、この切り目を利用して多孔質グリップ２２を広げて本体１２ｂの把持部に装着してもよい。
【００２４】
このように、本実施形態によれば、連続気孔を有する高分子多孔質材料により多孔質グリップ２２を形成する。従って、多孔質グリップ２２に適切な弾性を与えることができ、医師等による歯科用切削器具の把持がより確実に行える。また、歯科用切削器具において生じた振動などを吸収することができ、使用者の手に掛かる負担を少なくして腱鞘炎などの発生を抑制できる。さらに、連続気孔であるため、気孔内部に消毒液体や、蒸気などを流通することが可能であり、確実な滅菌処理を行うことができる。そこで、手術用具などのグリップとしても好適に利用できる。
【００２５】
また、ハンドピース１２の把持部は、基本的に円筒形で、１種類の多孔質グリップ２２を製作すれば、適用が可能と考えられるが、ハンドピース１２に応じて適切な形状の多孔質グリップ２２を製作してもよい。また、多孔質グリップ２２を長い形状として製作し、はさみやナイフで適宜長さに切って使用することも好適である。この場合、多孔質グリップ２２を押し出し成形で、長いパイプ状として作製することが好適である。
【図面の簡単な説明】
【００２６】
【図１】歯科用切削具の全体構成を示す図である。
【図２】多孔質グリップの構成を示す図である。
【符号の説明】
【００２７】
１０  歯科用切削器具、１２  ハンドピース、１２ａ  本体、１２ｂ  先端部、１４  バー、１６  エアパイプ、１８  エア通路、２０  羽根車、２２  多孔質グリップ。
【図１】
2009160324.tif 000004
【図２】
2009160324.tif 000005